(57)【特許請求の範囲】
【請求項１】
上方から投入される被計量物の下方に設けられ、前記被計量物を搬送する搬送面を有するトラフと、前記トラフの下部に設けられ該トラフを往復動させることにより前記被計量物を搬送させる駆動機構とを有する分散供給装置において、
前記駆動機構に設けられ係合片（３１）を有する固定部材（３０）と、
前記トラフに設けられ前記駆動機構に対して前記トラフを固定あるいは開放状態に切り換え保持可能なクランプ部（２８）と、
前記トラフに設けられ前記固定部材の係合片に係合自在な係合部材（２５ｂ、２５ｃ）を有し前記クランプ部に連結され、前記クランプ部の操作に基づき前記係合部材を前記固定部材の係合片に係合状態あるいは開放状態にすべく移動自在なスライド部材（２５）と、を備えたことを特徴とする分散供給装置。
【請求項２】
前記クランプ部（２８）は、操作レバー（２８ｂ）と係合アーム（２８ｃ）とを有し、前記係合アームの他端（２８ｃａ）が前記スライド部材（２５）の移動方向にのみ僅かに移動可能に閉塞されて前記スライド部材に連結されている請求項１記載の分散供給装置。
【請求項３】
前記固定部材（３０）は、前記トラフ（５）の前記物品の搬送面の裏面に密着するように傾斜を合わせて形成された支持板（３２）を備えた請求項１記載の分散供給装置。
【請求項４】
前記固定部材（３０）は、前記スライド部材（２５）のスライド方向に直交する方向の幅よりも小さい幅で形成された請求項１記載の分散供給装置。
【発明の詳細な説明】
【０００１】
【発明の属する技術分野】
本発明は、食品などの被計量物を容器や所定質量ずつ包装する組合せ計量装置に適用され、投入された被計量物を分散して搬送する分散供給装置に係り、特にトラフの着脱が容易な分散供給装置に関する。
【０００２】
【従来の技術】
一般に食品生産ラインの包装工程では、塊の単位が細かな食品の袋詰めなどのために、物品を所定質量ずつ計量して排出できる組合せ計量装置が使用されている。
図７は、この組合せ計量装置の１例を示す側面図である。図示のように、この組合せ計量装置５０は、物品が供給され放射状に分散させる供給部５１と、周状に配置された複数のストックホッパ５２と、ストックホッパ５２下部に設けられる複数の計量ホッパ５３と、計量ホッパ５３の下部に設けられた漏斗形の集合シュート５４を有している。
【０００３】
供給部５１は、平面上で見て周状に配置された計量ホッパ５２の中央位置に投入された被計量物を放射状に外方に向けて分散供給する。この供給部５１は、円錐形状の分散部５１ａと、分散された被計量物をストックホッパ５２部分まで搬送する搬送部５１ｂを備えている。搬送部５１ｂは、両側部が立設されたトラフ５１ｃと、トラフ５１ｃを振動させて被計量物を搬送させる駆動手段５１ｄで構成されている。
この被計量物は、各計量ホッパ５３の上にそれぞれ設けられたストックホッパ５２を介して概ね同量ずつ各計量ホッパ５３に落とし込まれ、それぞれ質量が計測される。
複数の計量ホッパ５３での計量値には通常ある程度のばらつきがある。そこで、複数の計量ホッパ５３で得られた複数の計量値に基づき適宜に組み合わせて所望の質量値を得る。このような組み合わせになる複数個の計量ホッパ５３を選択し作動させて被計量物を集合シュート５４に落下させる。
【０００４】
集合シュート５４の最低部には開口があり、複数の計量ホッパ５２から落下した被計量物は集合シュート５４で集合され開口から下方に排出される。
通常、集合シュート５４の開口の下方には、被計量物を包装するための装置が設けられている。例えば、袋詰装置を配置しておけば、所定の質量の被計量物を袋詰にすることができる。
【０００５】
【発明が解決しようとする課題】
上記搬送部５１ｂは、駆動手段５１ｄに対し固定手段を用いてトラフ５１ｃを固定し、駆動手段５１ｄの振動力をトラフ５１ｃに伝達する構成であるが、物品が食品である場合等には、定期的な清掃のため、トラフ５１を取り外す必要があった。
従来は、特開平６−３１２８２２号公報や、特開昭５７−４６８２８号公報に示されるように、固定手段でトラフ５１ｃを着脱自在に構成していたが、この固定手段の操作が面倒で手間がかかったり、位置決めが困難であった。
【０００６】
固定手段は、レバーを操作するだけで固定が解除できるものであるが、固定解除後であってもトラフ５１ｃ及び駆動手段５１ｄの係止片同士が係合状態のままとなるため、トラフ５１ｃを取り外すには係止片同士を離す手作業が必要となった。逆にトラフ５１ｃを取り付けるには係止片同士を係合させる手作業が必要となった。
【０００７】
また、トラフ５１ｃと駆動手段５１ｄの取り付け固定には位置決めが必要であり、位置決めが確実に行えなかったり、そのための規制手段が複雑になったっりする。
さらに、周状に配置されたトラフ５１ｃは、隣同士が重なり合っており、取り外す際にその方向が規制されていた。
【０００８】
本発明は、上記課題を解決するためになされたものであり、被計量物を搬送するトラフの装置に対する着脱が容易に行える分散供給装置を提供することを目的としている。
【０００９】
【課題を解決するための手段】
上記目的を達成するため、本発明の分散供給装置は、請求項１記載のように、上方から投入される被計量物の下方に設けられ、前記被計量物を搬送する搬送面を有するトラフと、前記トラフの下部に設けられ該トラフを往復動させることにより前記被計量物を搬送させる駆動機構とを有する分散供給装置において、
前記駆動機構に設けられ係合片（３１）を有する固定部材（３０）と、
前記トラフに設けられ前記駆動機構に対して前記トラフを固定あるいは開放状態に切り換え保持可能なクランプ部（２８）と、
前記トラフに設けられ前記固定部材の係合片に係合自在な係合部材（２５ｂ、２５ｃ）を有し前記クランプ部に連結され、前記クランプ部の操作に基づき前記係合部材を前記固定部材の係合片に係合状態あるいは開放状態にすべく移動自在なスライド部材（２５）とを備えたことを特徴とする。
【００１０】
また、請求項２記載のように、前記クランプ部（２８）は、操作レバー（２８ｂ）と係合アーム（２８ｃ）とを有し、前記係合アームの他端（２８ｃａ）が前記スライド部材（２５）の移動方向にのみ僅かに移動可能に閉塞されて前記スライド部材に連結され他校生にできる。
【００１１】
また、請求項３記載のように、前記固定部材（３０）は、前記トラフ（５）の前記物品の搬送面の裏面に密着するように傾斜を合わせて形成された支持板（３２）を備えた構成としても良い。
【００１２】
また、請求項４記載のように、前記固定部材（３０）は、前記スライド部材（２５）のスライド方向に直交する方向の幅よりも小さい幅で形成しても良い。
【００１３】
上記構成によれば、着脱機構部２０の操作レバー２８ｂの操作により、スライド部材２５が移動する。係合部材２５ｂ，２５ｃは、スライド部材２５の移動によりトラフ５の係合片３１に対して係合状態、あるいは解除状態となる。
解除状態にしてトラフ５を装置から取り外すことができ、固定状態でトラフ５を装置に固定状態に保持できる。
操作レバー２８ｂは装置の外部方向から操作でき、隣同士が重なり合って円環状に配置されたトラフ５であっても着脱操作を容易に行える。また、スライド部材は水平にスライドするため、着脱機構部２０の高さを取らず装置全体の高さを抑えることができる。
【００１４】
【発明の実施の形態】
本発明の実施の形態の一例を図面を参照して説明する。図１は組合せ計量装置１を示す平面図、図２は同側面図である。組合せ計量装置１の上部中央で且つ物品の投入箇所直下位置には本発明の要旨である分散供給部２が設けられる。この分散供給部２は、円形フィーダ３と、直進フィーダ４で概略構成されている。以下の説明では分散供給するための物品を被計量物として説明する。
【００１５】
円形フィーダ３は、中央が上に向けて突出した平たい円錐状に形成されたコーン３ａとこのコーン３ａを回転させる駆動手段３ｂとを備えている。図示しない供給手段が円形フィーダ３の上に被計量物を供給することにより、円形フィーダ３上は多数の被計量物が常時積み重なった状態となり、コーン３ａの回転によって被計量物は周囲に均等にこぼれ落ちて供給される。
【００１６】
コーン３ａの周囲には、複数基の直進フィーダ４が放射状の配置で設けられている。各直進フィーダ４は、断面略Ｖ字形の直線的な搬送路であるトラフ５と、トラフ５を搬送方向に往復して直動させる駆動手段６とを備えている。各直進フィーダ４のトラフ５は、分散供給部２を中心として周方向について等角度間隔で放射状に配置されている。従って、各直進フィーダ４のトラフ５に供給された被計量物は、駆動手段６によるトラフ５の動きによって配置の外側に向けて搬送されていく。
【００１７】
各トラフ５の外側の外端部は開放された状態にあり、ここから被計量物が落下する。各トラフ５の外端部の下方には、ストックホッパ７がそれぞれ配置されている。即ち、トラフ５と同数の複数のストックホッパ７が、周状に等間隔で配置されている。各ストックホッパ７は上面が開口した箱体であり、下面には開閉可能な蓋が取り付けられている。
【００１８】
各ストックホッパ７の下方には、それぞれ計量ホッパ８が配置されている。即ち、ストックホッパ７と同数の複数の計量ホッパ８が、周状に等間隔で配置されている。計量ホッパ８は上面が開口した箱体であり、下面には開閉可能な蓋が取り付けられている。この計量ホッパ８には秤量装置が設けられており、その内部に収納された被計量物の質量を計ることができる。
【００１９】
各計量ホッパ８の下方には、それぞれメモリホッパ９が配置されている。即ち、計量ホッパ８と同数の複数のメモリホッパ９が、周状に等間隔で配置されている。メモリホッパ９は上面が開口した箱体であり、下面には開閉可能な蓋が取り付けられている。計量ホッパ８で計量された被計量物はメモリホッパ９に収納保持される。
【００２０】
図２に示すように、ストックホッパ７と計量ホッパ８とメモリホッパ９は、この順に上から下に向けて縦に並んでおり、かつ上から下に向かうにつれて装置の内側に配置されるとともに、被計量物の排出方向の傾斜が緩やかになるように配置されている。最終段のメモリホッパ９に収納された被計量物は、底面の蓋を開くことによって落下排出される。
【００２１】
円周状に配置された複数のメモリホッパ９の下方には、漏斗形の集合ホッパ１０が設けられている。本例の集合シュート１０は、上面の投入口が相対的に大きく下面の排出口１１が相対的に小さい中空円錐台形である。
【００２２】
図３は、上記直進フィーダ４の固定部材３０とトラフ５を示す図であり、（ａ）は側面図、（ｂ）は着脱機構部２０のみを示した底面図、（ｃ）は正面図である。図中横方向は被計量物の搬送方向（Ｘ）である。
トラフ５は、装置の中心側（円形フィーダ３側）の半部は、立設片５ｂの一側部側に折曲部５ａが折曲形成されており、この折曲部５ａが隣接するトラフ５の立設片５ｂに重合するようになっている。外側の半部は、両側部に立設片５ｂを有して被計量物を搬送する面は略Ｖ字状に形成され、各ストックホッパ７へそれぞれ被計量物を搬送する。
【００２３】
このトラフ５の下面には、着脱機構部２０が設けられている。着脱機構部２０は、計量装置の本体側に設けられた駆動機構６上の固定部材３０に対してトラフ５を着脱自在に固定保持する。
この着脱機構部２０は、大略してスライド部材２５と、クランプ部２８で構成されている。
トラフ５の下面には、Ｘ方向に沿って一対の側板２６が立設固定されている。この側板２６の内面には、スライド部材２５の側板２５ａが接する形で設けられている。
【００２４】
一対の側板２６同士間には、Ｘ方向と直交する方向（Ｙ）に所定間隔を隔てて２本の固定軸２７ａ，２７ｂが連設されている。
スライド部材２５の一端部は、側板２５ａ同士間が連結板２５ｂで連結されており、この連結板２５ｂの板面は側板２６同士間に固定された一方の固定軸２７ａ上を摺動可能である。この連結板２５ｂは、他方の固定軸２７ｂ側の面が折曲部２５ｂａとして折曲形成されている。
【００２５】
スライド部材２５の他端部の側板２５ａには、他方の固定軸２７ｂに係合する係合溝２５ｃが形成されている。連結板２５ｂの幅及び係合溝２５ｃの長さはＸ方向対し所定長さ有しており、スライド部材２５は、これら連結板２５ｂ及び係合溝２５ｃによって側板２６内に収容された状態でＸ方向にスライド自在である。スライド部材２５の他端部側には、側板２６が折曲形成され互いに接合された連結板２５ｄとされており、略中央部には係合片２５ｅが折曲形成される。
【００２６】
トラフ５の下面には、クランプ部２８が設けられ、このクランプ部２８の操作によりスライド部材２５をＸ方向に移動させてトラフ５を固定保持、あるいは着脱状態に切り換える。
クランプ部２８の基部２８ａは、トラフ５の下面でＸ方向に沿って立設された固定片２９に固定されている。図示のように、クランプ部２８は、トラフ５の下部で横向きの状態で取り付けられ、また、図２に示すように、操作レバー２８ｂは装置の外部に向けて配置されている。
クランプ部２８の基部２８ａの一端には、操作レバー２８ｂが回動自在に軸支されており、操作レバー２８ｂの略中央には係合アーム２８ｃの一端が軸支されている。係合アーム２８ｃの他端２８ｃａは、スライド部材２５の係合片２５ｅに係合している。
【００２７】
なお、固定片２９は、スライド部材２５の係合片２５ｃのスライド位置箇所が切り欠かれており、スライドに干渉しない構成である。同時に、係合片２５ｃ及び固定片２９によって係合アーム２８ｃの他端２８ｃａを収容する領域が形成され、係合アーム２８ｃが係合片２５ｅから離脱しない構成となっている。
ここでクランプ部２８は、汎用のキャッチクリップを使用することができ、このキャッチクリップにおける係合アーム２８ｃの他端２８ｃａをスライド部材２５の係合片２５ｅに係合させて用いることができる。
【００２８】
装置側の駆動手段６には、上部位置に固定部材３０が設けられている。この固定部材３０は、長さ（Ｘ方向）及び幅（Ｙ方向）がいずれもスライド部材２５内に納まる大きさに形成されている。
この固定部材３０は、一対の側板３１と、側板３１の先端に設けられ略Ｖ字状に形成されたトラフ５下面に密着して支持するように角度を同じく形成された支持板３２からなる。
長さ方向で見て側板３１の両側上部には、それぞれ係合片３１ａ，３１ｂが突出形成されている。この係合片３１は、下面側が所定角度の傾斜面３１ｃとなっている。
一方の係合片３１ａは、スライド部材２５の連結板２５ｂに係合し、他方の係合片３１ｂは、固定軸２７ｂに係合する。
【００２９】
次に、上記分散供給部２に設けられるトラフ５の着脱動作を説明する。
図４は、着脱機構部２０によるトラフ５の固定状態を示す図である。図４（ａ）は部分側面図、（ｂ）は底面図、（ｃ）は正面図である。
この固定状態においてクランプ部２８は、係合アーム２８ｃがスライド部材２５をＸ１方向にスライドさせた状態を保持している。
この状態でトラフ５側に設けられたスライド部材２５の連結板２５ｂは、一方の係合片３１ａに係合しており、固定軸２７ｂは固定部材３０の他方の係合片３１ｂに係合し、トラフ５は、駆動機構６に固定保持されている。
【００３０】
このとき、スライド部材２５の連結板２５ｂ及び固定軸２７ｂは、固定部材３０の係合片３１ａ及び係合片３１ｂの傾斜面３１ｃに係合することにより、スライド部材２５、即ちトラフ５を下方へ押し下げる働きをする。
トラフ５は、略Ｖ字状に形成された物品の搬送面の裏面が同じように略Ｖ字状に形成された固定部材３０の一対の支持板３２に密着されることにより、Ｙ方向の位置決めが自ずと行われ、駆動機構６との間で安定した固定状態に保持される。
【００３１】
図５は、トラフ５の取り外し状態を示す図である。図５（ａ）は部分側面図、（ｂ）は底面図である。
トラフ５を駆動機構６から取り外すには、クランプ部２８の操作レバー２８ｂを引き起こして回動させる。これにより、図５（ａ）に示すように、係合アーム２８ｃの他端２８ｃａがスライド部材２５の連結板２５ｄを押すことになり、スライド部材２５を図中Ｘ２方向にスライドさせる。
スライド部材２５のスライドにより、連結板２５ｂと一方の係合片３１ａの係合状態が解除される。
【００３２】
この状態で固定軸２７ａと固定軸２７ｂの間隔は、固定部材３０の一対の係合片３１ａ，３１ｂの間隔程度まで拡がっており、この後、図６に示すように、トラフ５を斜め（Ｚ方向）に持ち上げて、係合片３１ｂは固定軸２７ｂとの接触状態から抜け出す。したがって、固定部材３０部分から上方に取り外すことができる。
また、固定部材３０の幅をスライド部材２５の内側の幅よりも小さく形成することにより、トラフ５を真上に持ち上げる必要もなくＹ方向へ斜めに持ち上げることができ、隣のトラフ５との重なり合った折曲部５ａを避けて斜めに持ち上げることができる。
【００３３】
取り付けに関しては、上記取り外しと逆にトラフ５を固定部材３０に上方から取り付けた後、クランプ部２８の操作レバー２８ｂを引き戻すことにより、スライド部材２５がスライドして固定することができる。
【００３４】
そして、上記着脱のいずれにおいても、操作レバー２８ｂの操作だけでスライド部材２５を取り外し位置、及び固定位置にスライドさせることができるため、トラフ５の着脱を簡単に行えるようになる。
図２に示すように、操作レバー２８ｂは、円環状に配置された各トラフ５の外側位置から操作することができ、また、操作レバー２８ｂは水平方向に操作すれば良いため、簡単に操作できるようになる。
【００３５】
上記のクランプ部２８は、係合アーム２８ｃの他端２８ｃａが係合片２５ｅ部分と連結板２５ｄ及び固定片２９との間に収容され、係合アーム２８ｃが係合片２５ｅから離脱しない構成であるため、着脱の都度、係合アーム２８ｃを係合片２５ｅに引っ掛ける手間がかからない。
なお、図示の構成では係合片２５ｅが一部開口しており、組み立て分解時にクランプ部２８の係合アーム２８ｃの他端２８ｃａを挿抜可能なよう構成したものであるが、係合片２５ｅは閉じた状態で係合アーム２８ｃの他端２８ｃａを軸支する如く構成してもよい。
【００３６】
【発明の効果】
本発明によれば、クランプ部を操作するだけで、装置に対してトラフを固定状態あるいは解除状態に保持でき、着脱操作を容易に行えるようになる。これによりトラフの清掃等保守点検を容易に行えるようになる。
また、駆動機構とトラフとの位置決めが容易に行うことができ、固定も安定状態に保持することが可能である。また、固定部材の幅をスライド部材の幅よりも小さくしたことにより、円環状に配置されたトラフの着脱操作を容易に行えるようになる。
【図面の簡単な説明】
【図１】本発明の分散供給装置が適用される組合せ計量装置を示す平面図。
【図２】同装置の側面図。
【図３】直進フィーダを示す図。
【図４】装置上でのトラフの固定状態を示す図。
【図５】トラフの着脱動作を示す動作図。
【図６】トラフの着脱動作を示す動作図。
【図７】組合せ計量装置の概要を示す図。
【符号の説明】
１…組合せ計量装置、２…分散供給部、４…直進フィーダ、５…トラフ、６…駆動手段、７…ストックホッパ、８…計量ホッパ、１０…集合シュート、２０…着脱機構部、２５…スライド部材、２５ｂ…連結板、２５ｃ…係合溝、２５ｅ…係合片、２７ａ，２７ｂ…固定軸、２８…クランプ部、２８ｂ…操作レバー、２８ｃ…係合アーム、３０…固定部材、３１ａ，３１ｂ…係合片。
【図１】
0004401522.tif 000002
【図２】
0004401522.tif 000003
【図３】
0004401522.tif 000004
【図４】
0004401522.tif 000005
【図５】
0004401522.tif 000006
【図６】
0004401522.tif 000007
【図７】
0004401522.tif 000008